(57)【要約】【課題】  画像の少なくとも一部分を掩蔽しながら、当該掩蔽部分を情報伝達の用に供することのできる画像処理システムを提供する。【解決手段】  埋込対象となったドキュメントの少なくとも一部に対して、符号画像を埋込合成する画像処理装置を含む画像処理システムであって、この画像処理装置が埋込対象となったドキュメントの少なくとも一部を埋込対象領域として特定し、取得した処理対象データに関連する符号画像を生成して、上記特定した埋込対象領域に、生成した符号画像を合成して合成ドキュメントを生成して出力する。【選択図】        図１
2005210326.tif 000002
【特許請求の範囲】
【請求項１】
埋込対象となったドキュメントの少なくとも一部に対して、符号画像を埋込合成して合成ドキュメントを生成する符号側画像処理装置と、復号側画像処理装置とを含む画像処理システムであって、
前記符号側画像処理装置は、
前記埋込対象となったドキュメントの少なくとも一部を埋込対象領域として特定する領域特定手段と、
処理対象データを取得するデータ取得手段と、
前記処理対象データに関連する符号画像を生成する符号画像生成手段と、
前記埋込対象領域に、前記生成された符号画像を合成して合成ドキュメントを生成する合成手段と、
を含み、
前記復号側画像処理装置は、前記合成ドキュメントから前記符号画像を抽出し、当該符号画像を復号処理することを特徴とする画像処理システム。
【請求項２】
埋込対象となったドキュメントの少なくとも一部に対して、符号画像を埋込合成する画像処理装置であって、
前記埋込対象となったドキュメントの少なくとも一部を埋込対象領域として特定する領域特定手段と、
処理対象データを取得するデータ取得手段と、
前記処理対象データに関連する符号画像を生成する符号画像生成手段と、
前記埋込対象領域に、前記生成された符号画像を合成して合成ドキュメントを生成して出力する合成手段と、
を含むことを特徴とする画像処理装置。
【請求項３】
請求項２に記載の画像処理装置において、
前記データ取得手段は、前記特定された埋込対象領域内のドキュメントに関するデータを処理対象データとして取得することを特徴とする画像処理装置。
【請求項４】
請求項２または３に記載の画像処理装置であって、
当該装置は、処理対象データの実体データを保持するデータベースに接続され、
前記データ取得手段によって取得された処理対象データの実体を前記データベースに保持させる手段を含み、
前記符号画像生成手段は、前記処理対象データを前記データベースから取得するための参照データを符号化して符号画像を生成することを特徴とする画像処理装置。
【請求項５】
請求項２または３に記載の画像処理装置であって、
前記符号画像生成手段は、前記処理対象データの実体データを符号化して符号画像を生成することを特徴とする画像処理装置。
【請求項６】
請求項２から５のいずれか一項に記載の画像処理装置であって、
前記合成手段は、前記生成された符号画像の埋込対象領域への合成の強度を、所与の設定条件に基づいて決定し、当該決定した強度で、前記生成された符号画像を前記埋込対象領域に合成することを特徴とする画像処理装置。
【請求項７】
請求項２に記載の画像処理装置によって生成された合成ドキュメントから前記符号画像を抽出し、当該符号画像を復号処理する携帯端末装置であって、
前記符号画像を読み取るスキャナ手段と、
前記読み取られた符号画像を復号し、処理対象データを取得する手段と、
前記処理対象データを表示する手段と、
を含む携帯端末装置。
【請求項８】
埋込対象となったドキュメントの少なくとも一部に対して、符号画像を埋込合成して合成ドキュメントを生成する方法であって、
前記埋込対象となったドキュメントの少なくとも一部を埋込対象領域として特定し、
処理対象となったデータに関連する符号画像を生成し、
前記埋込対象領域に、前記生成された符号画像を合成して、
前記ドキュメント上の前記埋込対象領域が前記符号画像により少なくとも部分的に掩蔽された合成ドキュメントを生成することを特徴とする合成ドキュメント生成方法。
【請求項９】
請求項８に記載の方法によって生成されたドキュメントが形成されていることを特徴とする記録媒体。
【請求項１０】
コンピュータに、埋込対象となったドキュメントの少なくとも一部に対して、符号画像を埋込合成させる画像処理プログラムであって、
前記埋込対象となったドキュメントの少なくとも一部を埋込対象領域として特定する手順と、
処理対象となったデータに関連する符号画像を生成する手順と、
前記埋込対象領域に、前記生成された符号画像を合成する手順と、
をコンピュータに実行させ、前記ドキュメント上の前記埋込対象領域が前記符号画像により少なくとも部分的に掩蔽された合成ドキュメントを生成することを特徴とする画像処理プログラム。
【請求項１１】
画像上の少なくとも一部に画定される、少なくとも一つの埋込対象領域に、処理対象となったデータに基づいて生成される符号画像を合成してなる合成ドキュメントが、形成されていることを特徴とする記録媒体。
【発明の詳細な説明】
【技術分野】
【０００１】
本発明は、符号画像を合成した合成ドキュメントを生成し、またこの合成ドキュメントを復号する画像処理システムに関する。
【背景技術】
【０００２】
近年、ドキュメントに関するセキュリティへの関心が高まっており、ドキュメントの表示や印刷といった出力の過程で、そのうちの特定部分を掩蔽する処理（例えばモザイクやスミ塗り）を行いたいという要望がある。
【０００３】
そこで例えば画像情報上で特定の条件が満足される部分に特殊パターンとしてモザイク模様などを重ね合わせて、当該部分を掩蔽する装置が、特許文献１等に開示されている。
【特許文献１】特開平６−３４８８０８号公報
【発明の開示】
【発明が解決しようとする課題】
【０００４】
しかしながら、上記従来の装置によって生成される画像においては、当該掩蔽する部分に合成される画像として、一般に情報伝達の用に供することのできない文字列（「秘」など、利用者側からの情報伝達に供することができないもの）や特殊パターンのように意味のない画像が形成されるに留まる。
【０００５】
一方でこのように秘したい部分が記載されている部分は、例えば用紙に形成される画像であれば用紙の印刷領域であって、安定した画像が形成できる部分でもある。つまり、従来の装置によっては、こうした領域が一般的な情報伝達の用に供されることなく無駄になっていた。
【０００６】
本発明は上記実情に鑑みて為されたもので、画像の少なくとも一部分を掩蔽しながら、当該掩蔽部分を情報伝達の用に供することのできる画像処理システムを提供することを、その目的の一つとする。
【課題を解決するための手段】
【０００７】
上記従来例の問題点を解決するための本発明は、埋込対象となったドキュメントの少なくとも一部に対して、符号画像を埋込合成して合成ドキュメントを生成する符号側画像処理装置と、復号側画像処理装置とを含む画像処理システムであって、前記符号側画像処理装置は、前記埋込対象となったドキュメントの少なくとも一部を埋込対象領域として特定する領域特定手段と、処理対象データを取得するデータ取得手段と、前記処理対象データに関連する符号画像を生成する符号画像生成手段と、前記埋込対象領域に、前記生成された符号画像を合成して合成ドキュメントを生成する合成手段と、を含み、前記復号側画像処理装置は、前記合成ドキュメントから前記符号画像を抽出し、当該符号画像を復号処理することを特徴としている。
【０００８】
このように符号画像を用いて画像上の特定領域を掩蔽することで、画像の少なくとも一部分を掩蔽しながら、当該掩蔽部分を情報伝達の用に供することが可能となる。
【０００９】
また、上記従来例の問題点を解決するための本発明は、埋込対象となったドキュメントの少なくとも一部に対して、符号画像を埋込合成する画像処理装置であって、前記埋込対象となったドキュメントの少なくとも一部を埋込対象領域として特定する領域特定手段と、処理対象データを取得するデータ取得手段と、前記処理対象データに関連する符号画像を生成する符号画像生成手段と、前記埋込対象領域に、前記生成された符号画像を合成して合成ドキュメントを生成して出力する合成手段と、を含むことを特徴としている。
【００１０】
ここで前記データ取得手段は、前記特定された埋込対象領域内のドキュメントに関するデータを処理対象データとして取得することとしてもよい。
【００１１】
また、当該装置は、処理対象データの実体データを保持するデータベースに接続され、前記データ取得手段によって取得された処理対象データの実体を前記データベースに保持させる手段を含み、前記符号画像生成手段は、前記処理対象データを前記データベースから取得するための参照データを符号化して符号画像を生成することとしてもよい。
【００１２】
この場合に、特定された埋込対象領域内のドキュメントに関するデータを処理対象データとしておくと、復号時に符号画像によって掩蔽された部分の内容だけがデータベースから取得されることになる。このため、例えば上記データベースと画像処理装置とがネットワークを介して接続されていたとしても、元のドキュメント全体が当該ネットワーク上で授受されることがなく、ネットワーク上のデータが盗用されたとしても、ドキュメント全体を取り出されて機密が漏洩する機会が低減する。また、ネットワークを介して授受されるデータは、ドキュメントの一部に限られることとなるので、通信に係るデータ量の低減にもつながる。
【００１３】
さらに、前記符号画像生成手段は、前記処理対象データの実体データを符号化して符号画像を生成することとしてもよい。
【００１４】
また、前記合成手段は、前記生成された符号画像の埋込対象領域への合成の強度を、所与の設定条件に基づいて決定し、当該決定した強度で、前記生成された符号画像を前記埋込対象領域に合成することとしてもよい。また、前記符号画像生成手段が、所与の設定条件に基づいて、符号化態様を決定し、当該決定した符号化態様で符号画像を生成することとしてもよい。
【００１５】
さらに、本発明のある態様に係る携帯端末装置は、上記画像処理装置によって生成された合成ドキュメントから前記符号画像を抽出し、当該符号画像を復号処理する携帯端末装置であって、前記符号画像を読み取るスキャナ手段と、前記読み取られた符号画像を復号し、処理対象データを取得する手段と、前記処理対象データを表示する手段と、を含むことを特徴とする。
【００１６】
さらに、上記従来例の問題点を解決するための本発明は、埋込対象となったドキュメントの少なくとも一部に対して、符号画像を埋込合成して合成ドキュメントを生成する方法であって、前記埋込対象となったドキュメントの少なくとも一部を埋込対象領域として特定し、処理対象となったデータに関連する符号画像を生成し、前記埋込対象領域に、前記生成された符号画像を合成して、前記ドキュメント上の前記埋込対象領域が前記符号画像により少なくとも部分的に掩蔽された合成ドキュメントを生成することを特徴としている。さらに本発明の一態様に係る記録媒体は、この方法によって生成されたドキュメントが形成されていることを特徴としている。
【００１７】
また、上記従来例の問題点を解決するための本発明は、コンピュータに、埋込対象となったドキュメントの少なくとも一部に対して、符号画像を埋込合成させる画像処理プログラムであって、前記埋込対象となったドキュメントの少なくとも一部を埋込対象領域として特定する手順と、処理対象となったデータに関連する符号画像を生成する手順と、前記埋込対象領域に、前記生成された符号画像を合成する手順と、をコンピュータに実行させ、前記ドキュメント上の前記埋込対象領域が前記符号画像により少なくとも部分的に掩蔽された合成ドキュメントを生成することを特徴としている。
【００１８】
さらに本発明の別の態様に係る記録媒体は、画像上の少なくとも一部に画定される、少なくとも一つの埋込対象領域に、処理対象となったデータに基づいて生成される符号画像を合成してなる合成ドキュメントが、形成されていることを特徴としている。
【発明を実施するための最良の形態】
【００１９】
［実施の形態１］
本発明の第１の実施の形態について図面を参照しながら説明する。本実施の形態に係る画像処理システムは、図１に示すように、符号側画像処理装置１ａと、復号側画像処理装置１ｂとを含んで構成されている。これら符号側、復号側の各画像処理装置１ａ，１ｂは、互いにネットワークを介して接続されており、いずれも例えば複合機を用いて実装することができる。この場合、画像処理装置１ａ，１ｂは、いずれも、制御部１１と、記憶部１２と、ディスク装置１３と、表示部１４と、操作部１５と、画像形成部１６と、画像読取部１７とを含んでなる。
【００２０】
制御部１１は、記憶部１２又はディスク装置１３に格納されているプログラムに従って動作する。この制御部１１によって実行されるプログラムと、それに基づく処理の内容は、符号側画像処理装置１ａと復号側画像処理装置１ｂとにおいて異なるので、後にそれぞれに分けて説明する。
【００２１】
記憶部１２は、制御部１１の処理中に生成されるデータを保持するワークメモリとして動作する。ディスク装置１３は、例えばハードディスク装置であり、制御部１１から入力される指示に従ってデータを保持し、また保持しているデータを読み出して制御部１１に出力する。本実施の形態では、このディスク装置１３は図２に示すように、識別子と、当該識別子によって識別されるデータとを関連づけたデータベースを保持させる。なお、記憶部１２又はディスク装置１３の少なくとも一方が、制御部１１によって実行されるプログラムを保持している。
【００２２】
表示部１４は、制御部１１から入力される指示に従って利用者に対して情報を提供する。操作部１５は、利用者の指示操作を受けて、当該指示操作の内容を制御部１１に伝達する。画像形成部１６は、制御部１１から入力される画像形成指示に従って、画像データに基づく画像を用紙などの記録媒体上に形成（印刷など）する。画像読取部１７は、例えばフラットベッドスキャナであり、制御部１１から読取指示の入力を受けて、原稿読取面に置かれた記録媒体上に形成された画像を光学的に読取って、画像データを生成し、制御部１１に出力する。
【００２３】
［符号側の処理］
ここで符号側画像処理装置１ａの制御部１１（以下、符号側画像処理装置１の各部の符号には、区別のため、添字「ａ」を付して、例えば制御部１１ａなどとする）の動作について説明する。制御部１１ａは、埋込処理の対象となるドキュメントを取得し、この一部に対して符号画像を埋込み合成する処理を行っており、具体的には、図示しないパーソナルコンピュータ等から印刷指示とともに埋込処理の対象となるドキュメントを取得し、この埋込処理の対象となるドキュメントを表示部１４ａに表示させる。
【００２４】
制御部１１ａは、利用者から当該表示部１４ａに表示されたドキュメント上で符号画像を埋込むべき埋込対象領域を特定する指示操作を操作部１５ａを介して受け入れる。具体的にこの指示操作は、ドキュメントの画像上でカーソルを移動させ、このカーソルによって開始点座標と終了点座標との２つの座標位置を特定させて、開始点座標を左上端、終了点座標を右下端とする矩形領域を画定させるなど、ドキュメント上で少なくとも一つの矩形領域を画定する指示操作となる。
【００２５】
次に制御部１１ａは、処理対象データを取得する。この処理対象データは、例えば利用者から操作部１５ａを介して入力されたデータであってもよいし、埋込対象領域として特定されたドキュメントの一部を表すデータであってもよい。ここでは、ドキュメント上で埋込対象領域として画定された部分の画像データを例として説明する。すなわち制御部１１ａは、埋込対象領域として特定されたドキュメントの一部の部分画像データを取り出して、当該取り出した部分画像データの実体データ（つまり取得した処理対象データの実体データ）に対応する固有の識別子を発行して、当該発行した識別子に上記実体データを関連づけてディスク装置１３ａに格納する。
【００２６】
制御部１１ａは、発行した識別子及び画像処理装置１ａにアクセスするための情報を含む参照情報を符号化した符号画像を生成する。ここで符号画像は、埋込対象領域の面積内に含められるサイズのバーコードなどでよい。
【００２７】
そして制御部１１ａは、埋込対象領域に当該符号画像を合成して合成ドキュメントを生成する。なお、ここでは埋込対象領域に相当する部分的な画像データに関連する識別子を符号化して符号画像を生成しているので、制御部１１ａは、当該符号画像の元となった識別子に関連する画像データ部分（当該画像データに対応する埋込対象領域）に符号画像を合成することとしてもよい。
【００２８】
具体的には、制御部１１ａは、ドキュメント上の埋込対象領域に、内部を白色で塗潰した矩形（又は所定の画像）を不透明合成し、この上に符号画像を描画する。なお、不透明合成とは、図３に示すように、合成を受ける画像を隠して合成対象となる画像を上書する方式での合成をいう。
【００２９】
これにより制御部１１ａは合成の結果として図４に示すような、ドキュメントの一部、利用者から特定された埋込対象領域に符号画像（Ｃ）を上書した画像（合成画像データ）を生成する。制御部１１ａは、この合成画像データを画像形成部１６ａに出力して、画像形成部１６ａにこの合成画像データを印刷させる。これにより、図４に示した画像データが形成された紙媒体が生成される。
【００３０】
また、本実施の形態の制御部１１ａは、後に説明するように、他の画像処理装置１からディスク装置１３ａに格納されている実体データの要求（識別子を特定した要求）を受けて、当該要求された実体データをディスク装置１３ａから読出して、要求元の画像処理装置１に対して送信する。
【００３１】
［復号側の処理］
次に、本実施の形態に係る画像処理システムの復号側画像処理装置１ｂの動作について説明する。利用者が図４に示した画像データを形成した紙媒体を原稿として画像処理装置１ｂの画像読取部１７ｂにセットし、操作部１５ｂから原稿読取の指示を入力すると、制御部１１ｂが、利用者から原稿読取の指示操作の入力を受けて、画像読取部１７ｂに対して読取の指示を出力する。
【００３２】
画像読取部１７ｂは、セットされた紙媒体を読取って図４に示した画像データを読み取り、その結果得られた画像データを制御部１１ｂに出力する。
【００３３】
制御部１１ｂは入力された画像データのうちから少なくとも一つの符号画像を検出し、検出した符号画像を復号する。上述のように符号画像は、実体データを取得するための参照情報が符号化されたものであるので、その復号結果は実体データを取得するための参照情報となる。
【００３４】
制御部１１ｂは、符号画像と当該符号画像を復号して得た参照情報とを関連づけて記憶部１２ｂに格納する。そして制御部１１ｂはこの記憶部１２ｂに格納した参照情報に基づいてネットワークを介し、画像処理装置１ａの制御部１１ａに対して参照情報に含まれる識別子によって特定される実体データを要求し、制御部１１ａから実体データを取得し、この実体データを表示部１４ｂに表示する。
【００３５】
［変形例］
なお、ここまでの説明では符号画像に含められるデータは、参照情報であるとしていたが、これに加えて、当該符号画像に対応する埋込対象領域の矩形を確定する座標情報を含んでもよい。これにより、当該符号画像から復号して得られた参照情報に基づいて実体データを取得した後、当該符号画像から復号して得られる座標情報によって画定される領域に当該取得した実体データを合成して表示することができ、元のドキュメントの画像を再現して表示することができるようになる。
【００３６】
さらに、ここでは符号側の制御部１１ａの処理において符号画像を合成する際に、埋込対象領域に事前に所定画像（例えば白色で塗潰した矩形画像など）を上書しているが、これに代えて、埋込対象領域の画素値に対し、符号画像を半透明合成することとしてもよい。ここで半透明合成とは合成を受ける画像の画素値を、合成する画像上での対応する画素値に応じて調整して合成することであり、合成を受ける画像の注目画素の画素値が［ｒ，ｇ，ｂ］origで表され、合成対象となる画像上の上記注目画素に対して合成される対応する画素の画素値が［ｒ，ｇ，ｂ］procで表されるとするとき、合成率α（０≦α≦１）を用いて、合成後の画素値［ｒ，ｇ，ｂ］resを、
（数１）
［ｒ，ｇ，ｂ］res＝（１−α）×［ｒ，ｇ，ｂ］orig＋α×［ｒ，ｇ，ｂ］proc
と定めることである。これにより、例えば図５（ａ）に図５（ｂ）の画像を合成率α（α＜１）で合成すれば、図５（ｃ）に示すような画像が得られることになる。
【００３７】
この場合に制御部１１ａは、この合成率α（いわば合成の強度）を所与の条件に基づいて定めてもよい。例えば制御部１１ａは、利用者から予め設定された機密レベルの設定情報等に基づいて合成率を定めてもよい。また、制御部１１ａは利用者を利用者名やパスワードの入力等によって認証しておき、当該認証の結果に応じて合成率αを定めてもよい（例えば利用者ごとに設定可能な合成率を定めるなど）。
【００３８】
具体的に制御部１１ａは、埋込対象領域の設定の際に、各領域ごとの機密レベルの入力を利用者から受けておく。そして制御部１１ａは、各埋込対象領域ごとに入力された機密レベルに応じて、各埋込対象領域に合成する符号画像の合成率を定める。例えば「１」から「５」の５段階の数値等で機密レベルを入力させ、それぞれの機密レベルに応じた合成率を「０．２」、「０．４」、「０．６」、「０．８」、「１．０」として、機密レベル「３」と設定された埋込対象領域に対しては、符号画像を合成率α＝「０．６」で合成することとする。
【００３９】
さらに、ここまでの説明では実体データを符号側の画像処理装置１ａのディスク装置１３ａに格納するようにしていたが、これに代えて、外部のデータベース装置（不図示）に実体データを格納し、当該データベース装置から実体データを取得するための参照情報を符号画像に含めることとしてもよい。
【００４０】
また、利用者からの設定情報だけでなく、ドキュメント上での埋込対象領域に相当する部分の画像データ（又はその元になるデータ）の性状（例えばテキスト・画像の別など）に基づいて合成率を定めてもよい。例えば、テキストである場合は合成率αを１．０とするなどとしてもよい。なお、これら機密レベルの設定情報や埋込対象領域の性状などの条件を組み合せて用いてもよい。またこれらの条件に基づいて符号画像そのものの生成方法を変更してもよい。
【００４１】
［参照情報に基づいて取得されるデータの別の例］
ここまでの説明では、ディスク装置１３ａ又は他のデータベース装置には、実体データは、ドキュメントのうち、埋込対象領域の部分の画像データであるとしていたが、これに代えて、ドキュメント全体の画像データを処理対象データとして、これらディスク装置１３ａ又は他のデータベース装置に格納してもよい。この場合は、合成画像データに含まれる符号画像に含まれる参照情報に基づき、画像処理装置１ｂがドキュメント全体の画像データを取得して表示することとなる。また、ドキュメントが複数ページからなる場合は、当該埋込対象領域を含むページの画像データとしてもよいし、これらドキュメント全体やそのうちの少なくとも１ページ全体の画像データに加えて、埋込対象領域の部分の画像データや、当該部分に記述されているテキスト情報等であってもよい。
【００４２】
［符号画像の別の例］
さらに、ここまでに説明した画像処理装置１ａ，１ｂにおいては、参照情報を含む符号画像を合成していたが、これに代えて、処理対象データの実体データを符号化して符号画像に含めるようにしてもよい。つまり、この場合は、符号側の画像処理装置１ａの制御部１１ａは、取得した処理対象データそのもの（実体データ）を符号化し、符号画像を生成する。この場合も、処理対象データは、例えば利用者から操作部１５ａを介して入力されたデータであってもよいし、埋込対象領域として特定されたドキュメントの一部を表すデータであってもよい。ここでは、ドキュメント上で埋込対象領域として画定された部分の画像データを例として説明を行う。
【００４３】
そして制御部１１ａは、埋込対象領域に当該符号画像を合成して合成ドキュメントを生成する。なお、ここでは埋込対象領域に相当する部分的な画像データを符号化して符号画像を生成しているので、制御部１１ａは、当該符号画像の元となった画像データ部分（当該画像データに対応する埋込対象領域）に符号画像を合成することとしてもよい。
【００４４】
この合成の方法は、既に説明したように、内部を白色で塗潰した矩形（又は所定の画像）を不透明合成してから、この上に符号画像を描画する方法であってもよいし、半透明合成する方法であってもよい。
【００４５】
これにより制御部１１ａが生成する合成結果もまた、図４に示すような、ドキュメントの一部、利用者から特定された埋込対象領域に符号画像（Ｃ）を上書した画像（合成画像データ）となる。制御部１１ａは、この合成画像データを画像形成部１６ａに出力して、画像形成部１６ａにこの合成画像データを印刷させる。これにより、図４に示した画像データが形成された紙媒体が生成される。
【００４６】
また、この合成画像データが形成された紙媒体からデータを復号する復号側画像処理装置１ｂは、次のように動作することになる。すなわち、制御部１１ｂは画像読取部１７ｂから、上述の紙媒体から実体データを符号化して得られる符号画像を含む合成画像データの入力を受け、この入力された画像データのうちから少なくとも一つの符号画像を検出し、検出した符号画像を復号する。上述のように符号画像は、実体データが符号化されたものであるので、その復号結果は実体データそのものとなる。制御部１１ｂは、復号によって得られた実体データを表示部１４ｂに表示する。
【００４７】
なお、符号画像は、実体データだけでなく当該符号画像に対応する埋込対象領域の矩形を確定する座標情報を含んでもよい。これにより、当該符号画像から復号して得られた実体データを、当該符号画像から復号して得られる座標情報によって画定される領域に合成して表示することができ、元のドキュメントの画像を再現して表示することができるようになる。
【００４８】
［実施の形態２］
ここまでの説明では、復号側の画像処理装置１ｂは、符号側画像処理装置１ａと同様に複合機を用いて実装する例について述べてきたが、復号側の画像処理装置１ｂは、携帯端末（ＰＤＡやハンディーターミナル等）であっても好ましいので、以下、携帯端末として復号側の画像処理装置を実装する例について第２の実施の形態として説明する。すなわち、本実施の形態の画像処理装置は、図６に示すように、スキャナ部２１と、制御部２２と、表示部２３とを含んで構成される。
【００４９】
スキャナ部２１は、その接触面に接触している用紙上の部分に形成されている画像を光学的に読取って、その画像データを制御部２２に出力する。制御部２２は、スキャナ部２１から入力される画像データから符号画像を検出し、検出した符号画像を復号する。例えば符号画像が実体データを符号化したものである場合、制御部１１ｂは、復号によって得られた実体データを表示部２３に表示する。
【００５０】
本実施の形態の画像処理装置によると、図４に示した画像データが形成されている紙媒体において、スキャナ部２１の接触面を符号画像部分に接触させる。すると、制御部２２が読取った符号画像を復号し、実体データを得てこれを表示部２３に表示する。
【図面の簡単な説明】
【００５１】
【図１】本発明の第１の実施の形態に係る画像処理システムの構成ブロック図である。
【図２】ディスク装置に格納されるデータの例を表す説明図である。
【図３】不透明合成の例を表す説明図である。
【図４】本発明の第１の実施の形態に係る画像処理装置によって生成される画像データの例を表す説明図である。
【図５】半透明合成の例を表す説明図である。
【図６】本発明の第２の実施の形態に係る画像処理装置の構成ブロック図である。
【符号の説明】
【００５２】
１  画像処理装置、１１，２２  制御部、１２  記憶部、１３  ディスク装置、１４，２３  表示部、１５  操作部、１６  画像形成部、１７  画像読取部、２１  スキャナ部。
【図１】
2005210326.tif 000003
【図２】
2005210326.tif 000004
【図３】
2005210326.tif 000005
【図４】
2005210326.tif 000006
【図５】
2005210326.tif 000007
【図６】
2005210326.tif 000008